(57)【要約】主枠（１２）により画定される開口部に関する閉位置に、開放可能な開口部閉鎖部材（１１）であって、前記閉鎖部材（１１）を枠（１２）に固定するための機械的回転手段（２４、４４、５４）を含む開口部閉鎖部材（１１）を固定するためのアセンブリであって、開口部閉鎖部材の固定および／または解除過程を容易にするためのプッシュおよび／またはプル作動アセンブリ（３５）であって、ハンドルバー（３６）と、ハンドルバー（３６）を前記機械的回転手段（２４、４４、５４）と連動しうるように接続する少なくとも１つの接続部材（３７）とを含む作動アセンブリを備え、プッシュおよび／またはプル作動アセンブリ（３５）は、作動アセンブリ（３５）の平行運動を、機械的回転手段（２４、４４、５４）の回転推進運動に変換するよう構成される、固定具アセンブリ。【選択図】図５
2009503288.tif 000002
【特許請求の範囲】
【請求項１】
主枠（１２）により画定される開口部に関する閉位置に、開放可能な開口部閉鎖部材（１１）を固定するための固定具アセンブリであって、
前記開口部閉鎖部材（１１）は、前記閉鎖部材（１１）を前記枠（１２）に固定するための機械的回転手段（２４、４４、５４）を含み、
前記固定具アセンブリは、前記開口部閉鎖部材の前記固定および／または解除過程を容易にするための、プッシュおよび／またはプル作動アセンブリ（３５）であって、ハンドルバー（３６）と、前記ハンドルバー（３６）を前記機械的手段（２４、４４、５４）に連動可能に接続する少なくとも１つの接続部材（３７）とを含む、作動アセンブリを備え、
前記プッシュおよび／またはプル作動アセンブリ（３５）は、操作者により平行的に移動可能なように構成され、
前記接続部材（３７）は、前記作動アセンブリ（３５）の平行運動の、前記機械的回転手段（２４、４４、５４）の回転推進運動への変換を提供するよう構成される、
ことを特徴とする、固定具アセンブリ。
【請求項２】
少なくとも１つのギアボックスアセンブリ（３８）をさらに備える請求項１に記載の固定具アセンブリであって、該ギアボックスアセンブリの少なくとも一部に、前記少なくとも１つの接続部材（３７）のそれぞれが、前記ハンドルバー（３６）に加えられる押す力と引く力により、前後に平行的に移動するよう配置される、固定具アセンブリ。
【請求項３】
各接続部材（３７）は、対応歯付作動部材（２８、４９）を係合するよう構成される歯付ラック部材であって、前記機械的回転手段（２４、４４、５４）に連係して該機械的回転手段に推進運動を伝達するよう構成される、歯付ラック部材（４７）を含むことを特徴とする、請求項１または２に記載の固定具アセンブリ。
【請求項４】
各歯付ラック部材（４７）は、各接続部材（３７）と平行的に移動するよう構成され、また各対応歯付作動部材（２８、４９）と連動して、平行運動を回転運動に変換するよう構成されることを特徴とする請求項３に記載の固定具アセンブリ。
【請求項５】
各対応歯付作動部材（４９）は、細長い回転ロッド（３９）と機械的に接続され、前記回転ロッド（３９）は、各対応歯付作動部材（４９）により作動される回転範囲に配置されることを特徴とする、請求項３または４に記載の固定具アセンブリ。
【請求項６】
前記少なくとも１つの接続部材（３７）は、前記ハンドルバー（３６）と連動しうるように接続された複数の接続部材（３７）を含み、前記複数の接続部材（３７）のそれぞれは、それぞれ個別の歯付ラック部材（４７）を含み、また前記細長い回転ロッド（３９）には、複数の対応歯付作動部材（４９）が接続され、前記各歯付作動部材（４９）は、対応する歯付ラック部材（４７）を係合するよう構成され、前記複数の歯付ラック部材（４７）と対応する歯付作動部材（４９）は、前記ハンドルバー（３６）と接続部材（３７）の前記平行運動を制御し、均一にすることを特徴とする、請求項５に記載の固定具アセンブリ。
【請求項７】
前記閉鎖部材（１１）は、平行な側部部材（３、４）により接続された水平な上部および下部部材（１、２）を有する可動サッシ構造（１３）を備え、前記サッシ構造は、上部および下部部材（５、６）が側部部材（７、８）により接続された状態で、少なくとも１つのヒンジ具（９）により開口部枠構造（１２）に収容され、前記プッシュおよび／またはプル作動アセンブリ（３５）は、前記可動サッシ構造（１３）の、前記上部および下部部材（１、２）のうちの少なくとも１つ、または前記平行な側部部材（３、４）のうちの少なくとも１つに接続されることを特徴とする、請求項１〜６のいずれかに記載の固定具アセンブリ。
【請求項８】
前記プッシュおよび／またはプル作動アセンブリ（３５）は、前記上部および下部部材（１、２）のうちの１つに対して水平に配向して、または前記平行な側部部材（３、４）のうちの１つに対して垂直に配向して、のうちの少なくとも１つの形態で接続されることを特徴とする、請求項７に記載の固定具アセンブリ。
【請求項９】
その少なくとも一部に、前記少なくとも１つの接続部材（３７）のそれぞれが、前記ハンドルバー（３６）に加えられる押す力と引く力によって、平行的に前後に移動するよう配置される、少なくとも１つのギアボックスアセンブリ（３８）をさらに備え、前記プッシュおよび／またはプル作動アセンブリ（３５）は、前記少なくとも１つのギアボックスアセンブリ（３８）を介して、前記サッシ構造（１３）に接続されることを特徴とする、請求項７または８に記載の固定具アセンブリ。
【請求項１０】
前記閉鎖部材（１１）を前記枠（１２）に固定するための前記機械的回転手段（２４）は、静的磁気伝導性要素（２１、２２）内で回転可能な回転磁場要素（２４）を備え、前記回転磁場要素（２４）は、前記静的磁気伝導性要素（２１、２２）と協働して、磁場を生成又は消去し、前記枠（１２）の感磁性の固定要素（４２）部分と連動して、前記閉鎖部材（１１）を前記固定枠（１２）に対して、固定又は解放することを特徴とする、請求項１〜９のいずれかに記載の固定具アセンブリ。
【請求項１１】
前記静的磁気伝導性要素（２１、２２）は、静的磁場要素（２１、２２）を含み、前記回転磁場要素（２４）は、前記静的磁場要素（２１、２２）の前記静的な磁場内で回転可能であり、前記それぞれの回転磁場要素（２４）と前記静的磁場要素（２１、２２）の前記回転および静止磁場は、互いに協働して、前記閉鎖部材（１１）を前記固定枠（１２）に対して固定及び固定解除することを特徴とする、請求項１０に記載の固定具アセンブリ。
【請求項１２】
前記静的磁気伝導性要素（２１、２２）は、１つまたは２つの部材（２１、２２）のうちの１つを含み、２つの部材は非磁気伝導層により隔てられることを特徴とする、請求項１０と１１のいずれかに記載の固定具アセンブリ。
【請求項１３】
前記静的磁気伝導性要素（２１、２２）は、２つの静的永久磁気要素（２１、２２）のうちの１つを含む、請求項１０、１１、１２のいずれかに記載の固定具アセンブリ。
【請求項１４】
前記機械的回転手段（２４）は回転永久磁石（２４）である、請求項１０〜１３のいずれかに記載の固定具アセンブリ。
【請求項１５】
前記機械的回転手段（２４）は、該機械的回転手段（２４）に推進運動を伝達するよう構成される歯付作動部材（２８）により、動作可能に係合されることを特徴とする、請求項１０〜１４に記載の固定具アセンブリ。
【請求項１６】
前記閉鎖部材（１１）を前記枠（１２）にロックするための、補助回転ロック手段（４４、５４）をさらに備えることを特徴とする、請求項１０〜１５に記載の固定具アセンブリ。
【請求項１７】
前記閉鎖部材（１１）を前記枠（１２）に固定するための前記機械的回転手段（４４、５４）は、回転係合部材（４４、５４）と特徴付けられる、請求項１〜９のいずれかに記載の固定具アセンブリ。
【請求項１８】
前記アセンブリ（３５）は、回転し、それによって前記回転係合部材（４４、５４）に、回転動作を伝達するよう構成される回転部材（４５、５３）をさらに備えることを特徴とする、請求項１６または１７に記載の固定具アセンブリ。
【請求項１９】
前記アセンブリ（３５）は、前記回転部材（４５、５３）を作用を生じるように移動させ、それにより該回転部材を回転させて、回転動作を前記回転係合部材（４４）に伝達するよう構成される、平行−回転変換部材（４７／４９、５２）をさらに備えることを特徴とする、請求項１８に記載の固定具アセンブリ。
【請求項２０】
前記回転部材（４４）は、前記回転部材（４５）の一部に係合され、それにより前記回転係合部材（４４）に動作を伝達するように設けられる、小隆起（４６）をさらに備えることを特徴とする、請求項１８または１９に記載の固定具アセンブリ。
【請求項２１】
主枠（１２）により画定される開口部に関する閉位置に、開放可能な開口部閉鎖部材（１１）を固定するための固定具アセンブリであって、
前記開口部閉鎖部材（１１）は、前記閉鎖部材（１１）を前記枠（１２）に固定するための機械的回転磁気手段（２４）を含み閉鎖部材、
前記固定具アセンブリは、手動操作可能な回転作動部材であって、前記機械的固定手段（２４）と連動しうるように接続された前記作動部材を備え、
前記作動部材は、操作者により回転的に動くことができ、それによって前記機械的回転手段（２４）の回転運動を推進せしめることにより、前記枠（１２）の磁気固定要素（４２）部と連動して、前記固定枠（１２）に対して前記閉鎖部材（１１）を固定又は解放するための、磁場の生成又は消去をもたらしうるように構成される、
ことを特徴とする、固定具アセンブリ。
【請求項２２】
前記手動操作可能な作動部材は、回転スイッチ部材、電子スイッチ、または遠隔制御装置であることを特徴とする、請求項２１に記載の固定具アセンブリ。
【請求項２３】
前記閉鎖部材（１１）を前記枠（１２）に固定するための補助回転ロック手段（４４、５４）をさらに備えることを特徴とする、請求項２１または２２のいずれかに記載の固定具アセンブリ。
【請求項２４】
主枠（１２）により画定される開口部に関する閉位置に、開放可能な開口部閉鎖部材（１１）を固定するための固定具アセンブリであって、
前記固定具アセンブリは、前記閉鎖部材（１１）を前記枠（１２）に固定するための機械的回転磁気手段（２４）を含み閉鎖部材、
前記機械的回転手段（２４）の回転運動は、前記枠（１２）に永久的に取り付けられているか一体化されている、磁性材のアンカー（４２）と連動して、前記固定枠（１２）に対して前記閉鎖部材（１１）を閉鎖固定又は解放するための、磁場の生成又は消去をもたらしうる、固定具アセンブリ。
【請求項２５】
前記固定具アセンブリは、手動操作可能な回転作動部材であって、前記磁気手段（２４）と連動しうるように接続された前記作動部材を備え、前記作動部材は、操作者により回転的に動かされることができ、それにより前記機械的回転磁気手段（２４）の回転運動を推進するよう構成される、請求項２４に記載の固定具アセンブリ。
【請求項２６】
前記手動操作可能な作動部材は、回転スイッチ部材、電子スイッチまたは遠隔制御装置であることを特徴とする、請求項２４または２５に記載の固定具アセンブリ。
【請求項２７】
前記閉鎖部材（１１）を前記枠（１２）に固定するための、補助回転ロック手段（４４、５４）をさらに備えることを特徴とする、請求項２４から２６のいずれかに記載の固定具アセンブリ。
【請求項２８】
主枠（１２）により画定される開口部の閉位置および開位置に、開放可能な開口部閉鎖部材（１１）を固定又は開放するための固定具アセンブリであって、
前記開口部閉鎖部材（１１）は、前記閉鎖部材（１１）を前記枠（１２）に固定するための磁気ロック手段（２０、４２）及び機械的ロック手段（４３、４４）を備え、閉鎖部材
さらに前記アセンブリは、最初に前記磁気ロック（２０、４２）手段を、その後前記機械的ロック手段（４３、４４）を係合して、前記枠（１２）により画定された前記開口部に前記閉鎖部材（１１）を固定するよう構成されるとともに、最初に前記機械的ロック（４３、４４）手段を、その後前記磁気ロック手段（２０、４２）を外して、前記開口部に対して前記閉鎖部材（１１）の固定解除を行うように構成される、アセンブリ。
【請求項２９】
前記閉鎖部材（１１）と前記開口部との間に、圧縮ガスケットであって、前記閉鎖部材（１１）が前記開口部に固定されたとき、少なくとも部分的に圧縮される前記ガスケットをさらに備え、前記磁気ロック手段（２０、４２）は、前記ガスケットを圧縮するのに必要とされる力に対抗し、同時に、前記機械的ロック手段（４３、４４）は、前記ガスケットが実質的には圧縮されていないやや閉位置で、前記閉鎖部材（１１）と係合および離脱する、請求項２８に記載のアセンブリ。
【請求項３０】
請求項１０〜２９のいずれかに記載の、閉鎖部材（１１）を開口部枠（１２）に固定するための、機械的に動作停止可能な磁気固定装置（２０）の使用。
【請求項３１】
前記機械的に動作停止可能な磁気固定装置は、永久磁石（２４）を含むことを特徴とする、請求項３０に記載の、機械的に動作停止可能な磁気固定装置（２０）の使用。
【請求項３２】
主枠（１２）により画定される開口部に関する閉位置に、開放可能な開口部閉鎖部材（１１）を固定又は解除するための方法であって、
前記開口部閉鎖部材（１１）は、前記閉鎖部材（１１）を前記枠（１２）に固定するための機械的回転手段（２４、４４、５４）を備え閉鎖部材、
前記方法は、
・  プッシュおよび／またはプル作動アセンブリ（３５）を平行的に移動させること、ただし、該作動アセンブリは、細長いハンドルバー（３６）と、前記ハンドルバー（３６）を前記機械的手段（２４、４４、５４）と連動しうるように接続する少なくとも１つの接続部材（３７）とを備える、ことと、
・  前記作動アセンブリ（３５）の前記平行運動を、前記機械的回転手段（２４、４４、５４）の回転推進運動に変換し、それにより開放可能な開口部閉鎖部材（１１）を、主枠（１２）により画定される開口部に関する閉位置に、固定および／または解除することと、
を特徴とする、方法。
【発明の詳細な説明】
【技術分野】
【０００１】
本発明は、これに限定されないが例えば枢動可能な窓で使用される、固定および／またはロック装置および／または方法に関し、プッシュ／プル作動部材であって、回転係合部材および／または、磁気固定および／またはロック力のいずれか、または両方を作動して、固定窓枠内の枢動可能な窓サッシなどの、固定開口部枠内の可動閉鎖部材を、固定および／またはロックし、それから解除するプッシュ／プル部材を有する形式の、固定／ロック装置および方法に関する。
【背景技術】
【０００２】
枢動窓またはその他の開口部閉鎖部材はよく知られており、とりわけ建物の壁または天井、屋根に広く使用されている。窓のサッシ、またはその他の開口部閉鎖部材の縁部または端部に配置されたロック機構は、サッシが意図せずに開いてしまうのを防ぐためによく使用されている。
【０００３】
例えばＥＰ１４４５４０３およびＷＯ０１９６６９９に記載されるような、これまでのさまざまな例では、窓やドアなどのロックシステムは多くの場合、歯止めや爪などの可動ロック部材と、ロック位置でロック部材と協働する凹部やスロットなどを有する受座とを備えている。侵入などを防ぐために、ロック部材は、ロック部材を受座に対してロックするための手段を特色とすることがよくあり、ボスまたはギザギザであることができる前記手段は、受座の一部と係合するよう設計されることがあった。その他のロックアセンブリについても記載されているが、例えばＷＯ０３０４８４８７またはＷＯ０２０５３８６３では、回転または旋回ハンドルは、窓枠またはサッシのそれぞれの突起と枢動可能に係合し、窓を閉位置でロックするよう設計されている。
【０００４】
さらに別のロックアセンブリにはＷＯ０４０６３４９８に記載されるものなどに含まれているが、これは特に窓やドアなどをロックするためのロックアセンブリを伴い、基盤部材、基盤部材に枢動可能に接続された操作部材、基盤部材に枢動可能に接続された連結部材、連結部材および操作部材の双方に枢動可能に接続されたラッチを備え、また前記操作部材には、操作部材に面する第１の面を有する、枢動可能な細長いハンドルバーが備えられる。ＤＫ特許第１６８４０６号も、上記の形式のロックアセンブリを開示している。さらなる枢動可能な細長いハンドルバーロック作動装置は、ＥＰ０７９２９９１に開示されている。
【０００５】
しかしながら、これらまたは類似のこれまでのロック機構の設計は、人間工学および／または作動中の手動操作へのその他の影響、あるいは望ましくない結果に関しては、特に改良の余地がある。先行技術の設計は、特に枠とサッシとの間に備えられた、弾性的に圧縮可能な密封ガスケットを含む窓構造において、そのロック機構それぞれを係合および固定するために、あるいは解除するためにさえ、手動で相当の力を加えることを必要とすることがしばしばある。かかるガスケットは、操作に大きな力を必要とすることがあり、および／または不快感を与えることがあり、従って解除に際して操作者へしばしば好ましくない作用を与える。そのため、使用における人間工学と簡易性とに関する機能性が向上したロックアセンブリを提供することは、本発明の目的である。
【特許文献１】ＥＰ１４４５４０３
【特許文献２】ＷＯ０１９６６９９
【特許文献３】ＷＯ０４０６３４９８
【特許文献４】ＤＫ特許第１６８４０６号
【特許文献５】ＥＰ０７９２９９１
【発明の開示】
【０００６】
これを背景として、特に、閉位置で開放し、それから固定することにおける、人間工学的特徴が改良された、ドアまたは窓などの開放可能な閉鎖部材を提供することは、本発明の目的である。これらの目的のうちの１つ以上は、請求項１に従って、例えばハンドルバーの形態の、プッシュおよび／またはプル作動部材を備える、窓またはその他の開放可能な開口部閉鎖部材を提供することにより、達成されうる。そのような作動部材は閉鎖およびロックするプロセスを容易化し、および／または反対に開放プロセスを単純化する。
【０００７】
かかるプッシュ／プル作動部材は、回転係合部材と共に利用されることができる。また該作動部材は、回転磁場を有する型の固定具であって、静的磁場の中で回転可能な固定具と共に（前記回転係合部材と共にも）利用されることもでき、このとき回転および静止磁場は互いに協働して、例えば固定窓枠内の可動窓サッシの固定枠内の可動部を、固定し、それから固定解除する。
【０００８】
あるいは磁気ロック／固定関係は、プッシュ／プル部材なしで、回転スイッチ部材、または電子スイッチ、またはさらに遠隔制御装置によって作動されて用いられることもできる。
【０００９】
サッシ構造を枠構造にロックするための磁気ロック手段に加え、サッシ構造を枠構造にロックするための補助ロック手段が、そのための作動手段に関わらず、含まれることができる。その作動手段は、例えば細長いハンドルや、回転または電子スイッチであることができる。
【００１０】
本発明による枢動窓と作動部材、および／または固定および／またはロック装置のさらなる目的、特長、利益、および特性は、詳細な説明により明らかになるであろう。
【詳細な説明】
【００１１】
以下の本発明の説明の詳細部分において、本発明は、添付図面に示される望ましい実施例を参照して、さらに詳細に説明される。
【００１２】
本発明は、概して、窓またはドアなどの開口部閉鎖部材のための固定装置またはシステムに関し、固定装置または複数の固定装置それぞれを働かせるためのプッシュおよびプル作動部材を含む主固定システムと、回転フックおよび／または磁気的に作動可能なアセンブリのいずれかまたは両方を含む主固定装置とに関する。かかる磁気アセンブリは、一般に、まず前記開口部の閉鎖位置で、開口部閉鎖部材を係合して、保持または固定し、次に解除して、開口部に対する閉鎖部材の開放を可能にするよう協働する、固定磁場要素と可動回転磁場要素とを含むことができる。本発明はさらに、開口部が実質的には固定された枠により画定され、開口部閉鎖部材が、可動サッシなどの可動手段である、窓またはドアなどの、開口部と開口部閉鎖部材との全体的な組み合わせであって、例えば前記開口部を開いたり閉じたりするための開口部閉鎖部材を、開口部に対して固定、解除するための固定装置またはシステムをさらに含む組み合わせにも関する。
【００１３】
図１〜４に示される一般化された実施例では、開口部とその閉鎖部材の組み合わせまたはアセンブリは、参照番号１０により一般的に特定され、開口部は枠１２により画定され、閉鎖部材または窓は、参照番号１１により一般的に特定される。組み合わせ１０は、本発明の望ましい実施例による図面に示されるように、上部部材５、下部部材６、および側部部材７と８を含む、実質的に据付のまたは固定された主枠構造１２を備える開放可能な窓アセンブリ１０と、上部部材１、下部部材２、および側部部材３と４を有する開放可能なサッシ構造１３とであることができる。サッシ構造１３は、窓ガラス１５を担持し、共に、図面に示される実施例の開放可能な閉鎖部材１１を形成する。
【００１４】
サッシと枠側部部材３、４および７、８それぞれの間の蝶着具またはヒンジ９を用いて、サッシ構造１３は枠構造１２に枢動可能に軸止される。この軸は、図示されるように上部および下部部材と平行であることができる。またサッシ構造１３は、上または下吊されてよいし、あるいは枢着具９を用いて、実質的にはそれらの中間に付設されてもよい。さらに、知られているように、回転サッシ１３は、代替の取付具９を中心に、上部または下部部材、またはその周囲に、あるいは（または）側部部材またはその周囲の位置、および／または側部部材と平行の位置に軸止されることができる（さらに以下に説明される図４も参照）。
【００１５】
閉位置で、サッシ１３と閉鎖部材１１は、窓枠１２と実質的には平行に配向され、また窓枠１２内に配置される。閉位置で、固定および／またはロック機構（以下にさらに説明されるものの代替）は、サッシ１３を枠１２と係合して、枠１２に対して、閉鎖して固定および／またはロックされたサッシ１３を保持する。窓枠と対応するサッシの多くの望ましい実施例では、弾性で望ましくは環状のガスケット（図示しない）が、しばしば枠１２とサッシ１３との間に提供されることに留意されたい。ガスケットは、枠１２とサッシ１３との間に実質的な密封を提供するために、サッシが閉位置にあるとき圧縮せしめられる。
【００１６】
図３および４では、組み合わされた回転／枢動窓としての窓アセンブリ１０の概略側面図が示されるが、通常の使用下での、サッシ構造１３および窓／閉鎖部材１１は、上吊であるか、あるいは枠構造１２に対して、実質的には中央枢動であるか、あるいは代わりにその両方であることができる。上述のように、両方の枢軸位置は、図４に破線で示されており、代替の中央型は、図３に実線で示されている。どちらの場合も、窓／閉鎖部材１１は、作動部材（ここでは図４に示される、サッシ下部部材の内側の制御ハンドル３５に代表される）を用いて、開放可能かつ閉鎖可能な枢動窓として機能しうる。制御ハンドル３５は、上部または下部あるいはその他に位置しうることに留意されたい。例として、図２に全体が示される上部位置を参照されたい。
【００１７】
窓サッシを、大角度（例えば、約９０度あるいは１８０度程度）まで、便利な開位置まで揺動させることを可能にするために、サッシ構造１３は、サッシと枠側部部材３、４および７、８それぞれの上部と下部の間の実質的には中央に位置することが多い、介在するヒンジ部材９に枢動可能に連結されることができる。窓の通常使用時には、上吊または中央配置ヒンジのいずれかが使用されうることに留意されたい。（代替として、下部配置、または上部および下部部材１、２および５、６それぞれに配置されたヒンジが可能。）実質的には中央の揺動可能接続部の回転軸は、図３および４に示されるのと同様に、上部および下部部材のおよそ中間に位置し、この枢動または揺動への窓の操作は、とりわけ天窓に関連して頻繁に用いられている形式で実行される。しかしながら、ここで以下に示されているのは、ロック機構の異なる機能であり、これは枠とサッシ上部部材との間に設けられたロック機構を解除するものである。
【００１８】
最初は、望ましいプッシュおよびプルハンドルアセンブリ３５であり、これは図面に示されるように（図２、３、４参照）、実質的には水平配置、つまりサッシと枠の上部および／または下部部材１、２および５、６に対して操作可能に平行に配置されることができ、また上部部材１、５にまたはその近接に配置されることができ（図２参照）、あるいは図３および４に示されるように、下部部材２、６に、またはその周囲に、またはその近接に配置されることができる。図示はされていないが（また恐らくそれほど望ましくないが）、ハンドルバーアセンブリ３５は、上部から下部までのさまざまな位置に水平に配置することが可能であり、あるいはハンドルバー部材３５などは、側部部材３、４および７、８と平行な縦方向位置で、片側または別の側３、７または４、８に近接して配置することが可能であることにも留意されたい。そうではあるが、これらの代替物は、ここに図示され、最初に記載されている望ましい上部および／または下部水平配置では要求または影響されない、さまざまな機能的差異または制限を有することがあることに留意すべきである。
【００１９】
ここに記載される主要な実施例では、ハンドルバーアセンブリ３５は、可動サッシ１３の、多くの場合は下部または上部部材１または２にまたはその上に接続されるが、これについてはさらに後述する。可動サッシに取り付けられる本例では、アセンブリ３５は、ロック／固定装置をロック及びロック解除させるためだけでなく、開および閉位置になるように可動サッシ１３を操るためのアクチュエータとして作用しうる。図示されていない代替機構は、ロック／固定装置を作動させるための、枠１２に接続されるハンドルバーアセンブリを提供しうるが、サッシと開口部閉鎖部材１１の開閉を操作する機能性を失う可能性が高い。
【００２０】
プッシュ／プル部材３５の第１の特長は、１つ以上のロックまたは固定装置またはアセンブリとのその第１の望ましい相互作用において、今後は全般的に参照番号２０を用いて言及される。かかる代替のロックまたは固定装置またはアセンブリ２０の詳細は、後述するが、まず始めに、とりわけ図５〜９を具体的に参照して、望ましいプッシュ／プルハンドルバーアセンブリ３５のさらなる説明を記載する。
【００２１】
図５〜９に示されるように、ハンドルバーアセンブリ３５は、それが望ましく配置されることとなる窓／閉鎖部材１１から分離して描かれている（上述の図２、３、４を再び参照）。かかるアセンブリ３５は、望ましい実施例において、しばしば細長いバー３６を含むことができる。バー３６は、バー３６をアセンブリ３５の機械部品と連動しうるように接続する、１つ以上（ここでは３つ）の接続部材３７を有する。かかる機械部品は、図５〜９に示されるように、一般的に１つ以上の（ここでは３つの）ギアボックスアセンブリ３８を含み（図５、６、８）、これは細長い回転ロッド３９に機械的に接続される。これらの部品、特に（１つまたは複数の）ギアボックス３８は、釘またはねじ、またはその他の接続手段によってサッシに結合されることができる。例として細長い水平サッシ部材１ａまたは２ａを参照されたい（これはサッシの上方または下方部材１または２の一部であることも、または全体を成すこともできるが、それについての説明は上記を参照されたい）。接続バー３７は、バー３６に加えられる押す力と引く力によって、ギアボックス３８内で平行的に前後に移動（入れ子式に出入）するように配される（図５および７〜９の矢印参照）。回転ロッド３９は、サッシ部材１ａまたは２ａにより画定される収納トラフまたはその他の溝状形状４０内の回転範囲に配されることができる。
【００２２】
同様に図５に示されているが、のちにさらに説明されるのは、磁気固定装置／アセンブリ２０と、それと協働する枠固定具４１である。枠固定具４１は、例えば上部または下部枠部材５または６のいずれか（図５には図示しない）など、対応する固定枠部材にねじ、釘、またはその他の手段により取り付けられる。例えば、磁気装置２０と協働するためのアンカー４２を形成する磁気感受性金属部分、および／またはアイレット４３、または固定フック４４を収納するためのフック収納部などとを有する固定具も後述される。磁気感受性金属部分４２は、一般的に磁石に対して感磁性であり、そのようなものとして、それ自体が磁石であったり、または単に磁力の影響を受けやすい材料によるものであったりすることができる。
【００２３】
もう少し詳しく言うと、図６の分解図および図７〜９の平面および立面図に示されるように、各ギアボックス３８内には、それぞれの歯車ピニオン４９と係合するためのギア歯４８（図１０の詳しい描写も参照）を有する歯車ラック４７があることができる。歯車ラック（１つまたは複数）４７は、これらの実施例では、それぞれの接続部材（１つまたは複数）３７に接続され、共に平行的に移動可能である。また、動作付与力の伝達時に、バー３６を動かそうとする力がバー３６に加えられるにつれて、その力が伝わると、内外に移動可能であるそれぞれのピニオン４９は、回転ロッド３９上に固定されて配置され（例として、図６におけるそのためのピンを参照）、１つまたは複数それぞれのラック（）４７によってギア駆動されると、それに回転運動を伝える。ここに示されるような、ロッド３９を中心としての３つのラックとピニオンの運動の協働は、例えばバー３６の一端あるいは他端またはその付近に加えられるより強いまたは弱い力など、そこに不均一な力が加えられるかどうかにかかわらず、バーアセンブリ３５の平行出入運動を比較的均一にすることの助けになりうる。
【００２４】
図１０の拡大図からより理解されるように、ラック４７の裏面のギア歯４８ａは、ピニオン歯車４９と連動するように意図されている。裏面の配向性については、図面の慣習のためだけに関して言及され、配置される上面または側面を限定する必要があることを意図していないが、その配向は本発明の範囲内で機能的であるようにする。ラック４７のうちの１つ以上の横ギア歯４８ｂは、さらに後述するように、磁気装置２０に対する代替機能を目的とすることに留意されたい。
【００２５】
図６（図９Ａも参照）に示される、さらに詳細な機械部品は、カム掛止部材４５であり、これも回転ロッド３９に取り付けられる（図６におけるそのためのピンを参照）。カム掛止部材４５は、さらに後述されるように、フック要素４４と連動する。
【００２６】
制御ハンドルアセンブリ３５のロックおよび／または固定機構またはシステムとの相互作用の説明に移る。図１０（図９Ｂも参照）に示されるのは、ギアボックス３８の拡大図である。ここで、ギアボックス３８は、入れ子式に内部に可動なコネクタ３７と、ラック４７とを有し、これらは分離しているが、ロック／固定装置２０（ここでは磁気タイプ）に近接して相関的に配置される（ここで、枠固定具41およびその磁気部42も参照）。図１０には示されていないが、ここに描写されている歯４８ｂなどの横ギア歯は、ロック／固定装置２０の歯車２８のそれぞれのギア歯を係合するであろう。この場合、歯車２８は、交代でさらなる歯車２９と噛み合って駆動し、図１１に示されるように（装置２０の裏面図）、９０度のみの歯車、つまり９０度回転可能であることができるが、これは本図面で十分に説明する目的のものである。
【００２７】
図１２に示されるように、被動９０度歯車は、アセンブリ２０内に配置された磁性部材２４に回転的に結合されることができる。磁性部材２４は、磁場を提供する要素であり、いくつかの望ましい例では永久磁石である（従って、図１２における陰影は、その分離した対立するＮとＳの極性を強調している）。ＮおよびＳ極がそれぞれＮおよびＳの参照符を用いて描写される図１３（図１３Ａおよび１３Ｂに分解されている）も参照されたい。磁性部材２４は、１つの磁性部材内、あるいは装置／アセンブリ２０内に配置される２つのさらなる磁性部材２１と２２との間に配置される。したがって、磁気アセンブリ２０は、一般的に、１つまたは複数の固定磁場要素、ここでは要素２１、２２（２つの要素または単一の構造におけるそれらの同等物は、単一の磁気的に作動可能な組み合わせを備えてもよいことに留意されたい）と、まず前記開口部の閉鎖位置に、開口部閉鎖部材１１を係合して、保持または固定し、次に解除して、開口部に対する閉鎖部材１１の開放を可能とするように協働する可動回転磁場要素、ここでは要素２４とを含む。
【００２８】
機械的に動作停止可能な磁気固定装置２０としても知られうる、望ましい磁石アセンブリ２０の具体的な動作特長について、図１３Ａおよび１３Ｂを参照して、さらに具体的に説明する。図示されるように、磁気ロック／固定アセンブリ２０は、２つの磁気的に作動または作動可能な金属部２１および２２を有し、これらはアセンブリ２０内で相互に連結され、非磁気透過性材料による隔離層２３またはその間に介在するスペースを伴う。部品２１、２２は、その間の円形の空洞または穴によって、磁気回路ブロックまたはヨーク（さらに後述するように）を画定するように形成され、その円形の空洞または穴に、断面が円形であることが望ましい磁石２４が摺動自在かつ回転自在に挿入される磁石２４は、円筒または円柱形状、あるいは円形の厚い円盤形状（図１２参照）であり、上述のように、その中にそれぞれ画定されたＮ極およびＳ極を有されうる。磁性組み合わせ２０の基部は、作動可能な面２５の間でその底部に切り込まれた、ここではＶ型溝として示される浅いギザギザまたは溝を有し、それにより磁気的に付着することになる面に対し設置されるために適当な磁性面が提供されうる。磁気的に付着することになる面の例として、図５、８、および１０の感磁性の部材４２を参照されたい。
【００２９】
操作において、まず回転磁石２４は、正反対の極（ＮおよびＳ）が図１３Ａに示されるように配向される。つまり回転磁石２４は、動作停止（ＯＦＦ）状態に置かれる。この条件下では、装置２０の作動面２５は、最初は磁気的に動作停止している。これらは次に、磁気装置が取り付けられることになる感磁性面（例えば、図５の面４２）に近接して移動または設置される。次にユニット２０は、磁気アセンブリ２０のＮおよびＳ極が、図１３Ｂの配向に設置され、作動（ＯＮ）状態となるよう、中央の磁気ディスク２４を９０度回転させることにより作動してもよい。磁石２０が作動状態にあるとき、その磁束２６は、図１３Ｂに示されるように、装置の作動面２５を通して、装置２０外部に延長される。その結果、磁気アセンブリ２０は、感磁性面の近接に上述のように位置付けられてＯＮにされた場合に、磁性面（例えば面４２）に磁気的に誘引され、結果として、磁石２０は、かかる面（例えば、枠固定具４１の面４２）にしっかりと固定される。
【００３０】
磁石が動作停止状態に設置された場合、磁束２６は、図１３Ａに示されるように、磁性金属部品２１および２２を通して延長される。その結果、部材４２（アンカー４２または接極子４２としても知られることもある）などの対象面に、金属部品２１および２２を誘引するための磁力が生成されない。
【００３１】
側部部材２１、２２は、磁気伝導性、または磁気伝導体であってもよく、従って磁気的に作動可能な磁性金属（Ｃｒ、Ｍｎ、Ｆｅ、Ｃｏ、Ｎｉなど）など、あるいはその代わりに永久磁石であってもよいことに留意されたい。また内部磁石２４の磁束２６は、磁性部材２１、２２の磁束に加えられ、破線矢印２６に示されるように磁性面２５を通過し、それにより面２５を励起／活性状態にし、感磁性の枠面４２を係合しうることに留意されたい。
【００３２】
いずれの場合でも、反対にＯＦＦにされた場合（つまり、図１３Ａの位置に戻す）、磁束２６は、図１３Ａに示されるように、アセンブリ２０の磁性金属部品２１および２２を通って延長、あるいはそれらに限定され、その結果、磁石２０を外面に誘引するための磁力は生成されない（あるいは、磁力は極めて限定される）。このように、磁石２４の回転位置が、図１３Ａに示されるように、２極（ＮおよびＳ）が空間（または非磁性部材）２３に位置するような場合、磁石２０の磁束２６は、磁性部材２１、２２に囲まれ、磁性面２５は不活性である。
【００３３】
固定具４１が固定枠１２に（例えば、上部または下部部材５または６に）連結される場合、磁気装置２０は、窓サッシ１３を、その上部または下部部材１、２を介して（例えば、部材１ａ、２ａを介して、そこに接続される磁気装置を有する方）、枠１２に固定またはロックできる。磁気装置２０の磁力は、開放を強く阻止して、枠に対してサッシをロックさせるようなものであってもよく、あるいは限定された強度（例えば、利用可能な材料に応じて）を有し、枠に対するサッシのより相対的な固定を提供してもよい。次に、補助または代替の２０ａ、または例えばフック要素４４が、後述のように使用されてもよい。いずれの場合も、ハンドルバーによるプッシュおよびプル作動によって、交互の、固定／ロック、続く固定解除／ロック解除に関する動作および作動がより容易になり、係合および係脱するのに必要な人間操作者による操作が簡易化され、および／または人間操作者が加える必要のある力を軽減し、および／または開口部に対する閉鎖部材１１の開放および／または閉鎖に関する全体的な人間工学が向上する。
【００３４】
前述のように、補助ロック装置が使用されてもよいが、それは、例えば重複のため、または磁性部材２０が単独で開口部閉鎖部材を閉位置でロックする（例えば、むしろ固定する）のに十分強力ではない場合に、実際的なロックを提供するために用いられてもよいことに留意されたい。あるいは、かかる補助ロック部材は、磁気アセンブリ２０の代わりに使用することができる。図５、６、８、および９Ａに示されるように（恐らく図５および９Ａが最もわかりやすい）、磁気ロック２０は、補助ロック装置、具体的にはラッチまたはフック４４とともに使用することによって、ロック装置に加えてステー装置を提供しうる。ラッチ４４などの補助ロック部材または機構は、サッシに固着されかつ窓枠と係合可能で、さらに、ハンドル３５によって操作されてもよい。ラッチ４４は、上述のギアシステムによって制御されてもよく、サッシのハンドルと反対側から外に延出するよう配置され、例えば上方または下方部材５または６のいずれか（または、それぞれの側部部材７または８）などの、枠１２にまたは枠１２内に連結される凹部またはアイレット４３まで延出し、不要な開放に対してサッシを固定するよう構成される。
【００３５】
さらに具体的な詳細では、ラッチ４４は、ばねによって（例として図８参照）、ロック／掛止位置へと付勢されてもよく、そのフックが凹部またはアイレット４３（図５、８、および９Ａ）を係合する。次に、ラッチ４４は、ばね付勢に逆らって回転自在に移動可能であってもよく、具体的には、回転ロッド３９上のラッチ係合機構４５のカム状の延出により、ラッチ４４の小隆起４６を係合することによってもたらされる。この場合、ロッド３９の回転時（バーアセンブリ３５の平行運動が、ラックおよびピニオン４７／４９動作により、ロッド３９の回転運動に変換されることによる）に、係合機構４５の延出されたカム部は、一定の間隔で小隆起４６に衝突というよりは接触することによって、ラッチ４４が持ち上がり、アイレットから係脱するようにして、窓をロック解除する。かかる掛止アセンブリは、磁気アセンブリ２０の有無に関わらず使用可能で、またいずれの場合でも、プッシュ／プルハンドルバーアセンブリ３５により作動／駆動可能であることに留意されたい。
【００３６】
枠とサッシとの間のシーリング部材としてシーリングガスケット（図示しない）が使用される場合、ガスケットが適切にまたは十分に圧縮されてシーリングするためには、多くの場合、ここに図示および説明される磁気ロック装置２０などの固定機構により、かなりの力を加える必要があることに留意されたい。閉位置では、サッシを開位置に向けて促すガスケットの逆の反発力（サッシ１３上のガスケットにより与えられた、ガスケットの弾性圧力に起因する）は、望ましくは磁気固定装置２０により完全に打ち消される（ラッチ４４を含む機械的ロックは、望ましくは、圧縮されたガスケットに起因する力により、いかなる時点においても負荷を与えられない）。操作において、サッシがロックされる場合、磁気ロックはまずガスケットの圧力に打ち勝ち、その後ラッチ４４がアイレット４３を掴む。サッシが開放される場合、その順序は逆であるのが望ましく、それによりラッチ４４はアイレット４３を係脱する一方で、磁気ロックは、依然としてサッシ上へのガスケットにより与えられる力に抵抗している。磁気ロックは次に、ラッチがアイレットを係脱したあと、係脱位置までのその回転を完了されうる（双方は同時に作動されるが、ラッチは、係合／係脱のために必要なモーメントがより小さいことから、より速く係脱されてもよいことに留意されたい）。従って事実上は、例えばラッチ４４などの機械的ロックへの負荷はない。そうではあるが、磁石２４を回転させるために必要とされる比較的単純な動作性質により、磁気ロックを作動、動作停止するために必要な力も非常に小さい。その結果、サッシを交互にロック、ロック解除、ロックするために、使用者がハンドルバーに加える必要がある力は非常に小さくなり、使用者の人間工学および／または快適性が向上する。
【００３７】
その他の代替となるロック装置もここで／これにより潜在的に有用である。図１４Ａおよび１４Ｂでは、平行ハンドルバー３５によるような、平行の作動により使用可能および作動可能な、ロック装置２０ａの代替実施例が示されている。そのようなものとして、代替実施例２０ａは、単独で、あるいは上述の磁気アセンブリ２０などの他の固定機構によって動作可能な、完全に機械的なロックであることができる。
【００３８】
さらに詳しくは、この代替のロック２０ａは、少なくとも１つの接続部材３７と連動しうるように連結されているプッシュバーアセンブリ３５により動作可能である。回転ロッド３９およびピニオン４９が図示されているが、ロック２０ａの動作に必ずしも関わらないことに留意されたい。むしろ、連結システム５０が、掛止フック５１をロック位置に、またロック位置外に移動させるために使用される。ここに示されるロック位置は横向きであり、従って固定枠１２の側部部材７または８内／上の凹部または受け座内にロックするであろうことに留意されたい。まず図１４Ａを参照すると、接続部材３７を通して働くバーアセンブリの平行運動は、次にそこに接続された部材５２を平行的に移動させるであろう。それから、部材５２は、その筐体６０との枢結部５５を中心に枢動する、さらなる連結部材５３の枢動を推進する。部材５３の枢動は次に、さらなる連結部５４の枢動を推進し、またさらなる連結具５６とともにフック５１を外側に枢動させる（図１４Ａの矢印参照）。連結具５６は、同様に筐体６０に接続された固定枢着部５７を中心に枢動する。次に、図１４Ｂに具体的に示されるように、完全に伸展したロック位置が達成される。フック５１は、装置を閉位置でロックするように相互作用する、その突起、凹部、アイレットまたはその他の受け座部材との相互作用を容易にするために、図示されるような回転部材であることができることに留意されたい。逆に動作すると、接続部材３７は逆行して部材５２を引張するが、これは図１４Ａに示されるように、連結具５４を収縮位置へと引張する連結具５３を引張する。別の形態では、連結機構は、シャフトに巻かれ、その一端または両端がコネクタ３７に接続されたベルトを含むことができる。
【００３９】
最終的な使用に関しては、主要な実施例の窓構造は、傾斜屋根に取り付ける枢動窓であるが、窓またはその他の開口部閉鎖部材は、それぞれの開口部を閉鎖するために、建物またはその他の場所の中／上のいかなるさまざまな配向で取り付けられてもよいことに留意されうる。さらに、軸回転または回転閉鎖部材（窓またはドア）が図示、説明されているが、摺動または別の移動可能なその他の閉鎖部材もこのように使用してもよい。さらに、例えば冷蔵庫、洗濯機、乾燥機、または食器洗い機などの実用電気製品のドアなど、窓およびドアまたはその他の開口部閉鎖部材のありとあらゆる形式も、代替的に本発明の固定手段を利用されうる。
【００４０】
同様に、磁気ロックまたはその他のロック装置は、代替的に、プッシュ／プル部材を伴わずに、それ自体作動可能で、代わりに回転ハンドルなどのやや単純なハンドル、あるいは手または指のサイズの回転的または平行的に移動可能なハンドルによっても操作可能であることに留意されたい。例えば、磁気装置２０は、そこから生じる心棒を有し（歯車２９が、磁石２４に連結された心棒を回転させている、底面図参照）、その心棒は、手動の回転作動部材またはハンドルに連結し、かつそれによって回転するように構成されることに留意されたい。かかる心棒は、代替的にかかるハンドルのための、装置２０の上面から生じることも可能である。手または指のサイズの回転または平行アクチュエータは、上記のラックと歯車の組み合わせ４７／２８を使用して磁石２４の運動を開始するために使用可能であり、および／またはラッチ４４のラッチ作動器と小隆起の組み合わせ４５／４６を作動可能であり、および／または最初の連結具５２を介して、その別の連結部材を作動させるために、連結システム５０を平行的に移動可能であることに留意されたい。上述のように、これらの代替物は、それぞれ単独で、またはいかなるさまざまな組み合わせで使用されてもよい。
【００４１】
さらに、電子スイッチおよび／または遠隔制御装置は、例えばロック／固定装置２０の磁性部材２４の起動および運動などの、その固定／ロック装置の機械的運動を作動させるために使用されうる。同様に、電子スイッチおよび／または遠隔制御装置は、例えば装置２０ａおよび４４など、その別のロック／固定装置の運動のそれぞれに必要とされる運動を作動させるために使用されうる。
【００４２】
望ましくは、枠およびサッシ構造の上部、下部、および側部部材は、その大部分が木製品を使用して構築されてもよいが、金属またはプラスチックを使用することも可能である。これらの外形、特に外気に曝される可能性があるものは、例えばアルミニウムなどの比較的薄い金属板外形から構成される被覆部材により被覆されてもよく、それは同時に完全な外気遮断性の窓の囲いを提供しうる。望ましくは、ヒンジ（１つまたは複数）９および動作可能な／ロック手段２０、２０ａおよび／または４４は、スチールなどの金属材料、繊維強化プラスチックなどの強いプラスチック材料、またはその組み合わせから作製されてもよいが、主な例外として、磁性部材および／または磁性材料から成る磁気的に作動可能な部材が挙げられる。ハンドルバーアセンブリ３５は、追加的および／または代替的に、木材、金属、および／またはプラスチックを含むがそれだけに限定されないさまざまな材料の組み合わせから作製されてもよい。
【００４３】
本発明は、説明の目的で詳細に記載されているが、かかる詳細はその目的のためのみであり、添付の請求項の範囲から逸脱することなく、当業者により、変形と組み合わせがその詳細に加えられてもよいことが理解されるべきである。
【図面の簡単な説明】
【００４４】
【図１】本発明による枢動窓の実施例の閉位置での等角図である。
【図２】本発明による枢動窓の実施例の開位置での等角図である。
【図３】本発明の実施例の長手方向寸法に沿ったサッシおよび枠の立面図である。
【図４】本発明の実施例の長手方向寸法に沿ったサッシおよび枠の立面図である。
【図５】本発明の作動ハンドルバーと、ロックおよび／または固定アセンブリの部分の分解等角図である。
【図６】本発明のプッシュ／プルハンドルバーアセンブリのさらなる分解等角図である。
【図７】図７Ａおよび７Ｂを含み、本発明のプッシュ／プルハンドルバーアセンブリの立面図を提供する。
【図８】本発明のプッシュ／プルハンドルバーアセンブリの部分破断平面図である。
【図９】図９Ａおよび９Ｂを含み、図８から取ったプッシュ／プルハンドルバーアセンブリの断面図を提供するが、それぞれの切断面は、図８のラインＡ−ＡおよびＢ−Ｂで取られている。
【図１０】本発明のプッシュ／プルハンドルバーアセンブリとロック／固定アセンブリの分離された部分の等角図である。
【図１１】本発明のロック／固定アセンブリの底部等角図である。
【図１２】本発明のロックおよび／または固定アセンブリの分解等角図である。
【図１３】図１３Ａおよび１３Ｂを含み、例えば図１０〜１２に示される、ロック／固定アセンブリの操作可能な内部部品の平面図を提供する。
【図１４Ａ】本発明の別のロック／固定アセンブリ底部平面図を提供する。
【図１４Ｂ】本発明の別のロック／固定アセンブリ底部平面図を提供する。
【図１】
2009503288.tif 000003
【図２】
2009503288.tif 000004
【図３】
2009503288.tif 000005
【図４】
2009503288.tif 000006
【図５】
2009503288.tif 000007
【図６】
2009503288.tif 000008
【図７】
2009503288.tif 000009
【図８】
2009503288.tif 000010
【図９】
2009503288.tif 000011
【図１０】
2009503288.tif 000012
【図１１】
2009503288.tif 000013
【図１２】
2009503288.tif 000014
【図１３】
2009503288.tif 000015
【図１４Ａ】
2009503288.tif 000016
【図１４Ｂ】
2009503288.tif 000017
【国際調査報告】
2009503288.tif 000018
2009503288.tif 000019
2009503288.tif 000020